(57)【特許請求の範囲】
【請求項１】
ケース本体と、このケース本体の裏面に装着される収納カバーと、前記収納カバーの内部に設られ、電源及び複数の負荷が接続される接続端子群と、前記ケース本体の前面に装着され、リモコンスイッチから送られてきた制御用電波を受信する受信アンテナと、前記ケース本体の裏面に設けられ、前記受信アンテナで受信した制御用電波に基づき前記接続端子群に接続された電源と複数の負荷との間の導通状態を制御する受信制御回路と、前記収納カバー内に収納され、前記受信制御部に電力を供給する電源回路と、前記ケース本体に設けられ、締結具を用いて該ケース本体を室内の壁面に固定するための取付孔と、前記ケース本体の前面に装着された受信アンテナの表面を被覆するアンテナカバーと、前記ケース本体の前面に装着され、少なくとも前記取付孔及び前記アンテナカバーの表面を被覆する化粧プレートと、を具備したことを特徴とする室内遠隔制御システムに使用する受信側配線装置。
【請求項２】
請求項１記載の室内遠隔制御システムに使用する受信側配線装置において、
前記受信アンテナは、
線状又は帯状の導体を両端が所定の間隔をもって対向するループ状に形成してなり、一端を給電点とした第１アンテナ素子と、
線状又は帯状の導体を両端が所定の間隔をもって対向するループ状に形成してなり、前記第１アンテナ素子と同一平面内で、かつ該第１アンテナ素子の内側に同軸状に配置するとともに、両端を前記第１アンテナ素子の両端と略並べて配置した第２アンテナ素子と、
線状又は帯状の導体からなり、前記各アンテナ素子の各他端を電気的に接続する接続導体部とを備えたことを特徴とする室内遠隔制御システムに使用する受信側配線装置。
【請求項３】
請求項２記載の室内遠隔制御システムに使用する受信側配線装置において、
前記受信アンテナは、
前記各アンテナ素子の中心点間の間隔（Ｄ）を、前記各アンテナ素子及び接続導体部の導体長さの総和（Ｌ）に対して、Ｄ＜０．０１Ｌの関係となるように形成したことを特徴とする室内遠隔制御システムに使用する受信側配線装置。
【請求項４】
請求項２又は３記載の室内遠隔制御システムに使用する受信側配線装置において、
前記受信アンテナは、
前記第１又は第２アンテナ素子の中間部に、リアクタンス素子を直列に挿入したことを特徴とする室内遠隔制御システムに使用する受信側配線装置。
【請求項５】
請求項２又は３記載の室内遠隔制御システムに使用する受信側配線装置において、
前記受信アンテナは、
前記第１又は第２アンテナ素子の他端近傍に微小ギャップを形成したことを特徴とする室内遠隔制御システムに使用する受信側配線装置。
【請求項６】
請求項２又は３記載の室内遠隔制御システムに使用する受信側配線装置において、
前記受信アンテナは、
前記各アンテナ素子及び接続導体部の導体長さの総和（Ｌ）に対し、前記給電点よりＬ／４の位置の近傍に微小ギャップを形成したことを特徴とする室内遠隔制御システムに使用する受信側配線装置。
【請求項７】
請求項２乃至６のいずれか一項に記載の室内遠隔制御システムに使用する受信側配線装置において、
前記第１アンテナ素子の幅を、前記第２アンテナ素子の幅よりも大きくしたことを特徴とする室内遠隔制御システムに使用する受信側配線装置。
【請求項８】
請求項１乃至７のいずれか一項に記載の室内遠隔制御システムに使用する受信側配線装置において、
前記受信制御回路に、前記接続端子群に接続された負荷と電源との間の導通状態を発光表示する状態表示素子を設けるとともに、
前記ケース本体の前面に、該状態表示素子を外部から視認可能とする表示確認窓を設けたことを特徴とする室内遠隔制御システムに使用する受信側配線装置。
【請求項９】
請求項１乃至８のいずれか一項に記載の室内遠隔制御システムに使用する受信側配線装置において、
前記受信制御回路に、前記リモコンスイッチから送られてくる複数種類の制御電波に対し、前記接続端子群に接続された負荷と電源との間の導通状態についての制御内容を任意に設定するための設定スイッチを設けるとともに、
前記ケース本体の前面に、該設定スイッチを外部から操作可能とする設定操作窓を形成し、
かつ、この設定操作窓に開閉自在な防塵扉を装着したことを特徴とする室内遠隔制御システムに使用する受信側配線装置。
【請求項１０】
請求項９記載の室内遠隔制御システムに使用する受信側配線装置において、
前記防塵扉の全開状態又は全閉状態を保持する開閉規制手段を設けたことを特徴とする室内遠隔制御システムに使用する受信側配線装置。
【発明の詳細な説明】
【０００１】
【発明の属する技術分野】
この発明は、ＦＭ波等の制御用電波を利用して、室内に設けられた各種照明器具等の負荷と電源との導通状態を遠隔制御できるようにした室内遠隔制御システムに係り、特にリモコンスイッチから送られてきた制御用電波を受信して負荷と電源との間の導通状態を制御する受信側配線装置に関する。
【０００２】
【従来の技術】
一般に、室内に設けた各種照明器具や電気機器等の負荷は、壁面に設けたスイッチ装置によりＯＮ，ＯＦＦ制御する室内配線構造が採用されている。しかしながら、この種のスイッチ装置は、人間が操作しやすい室内壁面の低位置に設置されるため、キャビネット，机，本棚等、各種室内用品の配置自由度を制限することがある。特に、室内のレイアウトを変更するに際して、スイッチ装置がその自由度を制限することが多かった。
また、天井面に設けられた証明器具から壁面に設置されたスイッチ装置までの電気配線を、壁面内部を立ち下げて通線するための工事に大変な手間が必要であった。
【０００３】
そこで、室内のレイアウトに影響の少ない箇所、例えば天井面にスイッチ機能を有した受信側配線装置を設置しておき、リモコンスイッチを使用した遠隔制御により各種照明器具や電気機器等の負荷をＯＮ，ＯＦＦ制御する室内遠隔制御システムが提案されている。
【０００４】
従来の室内遠隔制御システムには、制御信号として赤外線信号を利用したもの（例えば、特開平３−１０２７９７号公報参照）や、ＦＭ波等の電波信号を利用したもの（例えば、特開平４−８７５００号公報参照）がある。このうち赤外線信号を利用した室内遠隔制御システムは、赤外線の放射角度が狭小なため、受信側配線装置に設けた受光素子と略対向する位置からリモコンスイッチを操作する必要があり操作性の点で課題を有していた。
そこで、近年、赤外線信号に比べて放射角度が広いＦＭ波等の電波信号を利用した室内遠隔制御システムが注目されている。
【０００５】
【発明が解決しようとする課題】
さて、この種の電波信号を利用した室内遠隔制御システムを構成する受信側配線装置には、リモコンスイッチから発射された電波信号を受信するための受信アンテナが装着されるが、一般にこの受信アンテナは線状又は帯状をした細い導体で形成されているため、室内天井等へ受信側配線装置を据付ける際に、この受信アンテナを工具で傷付けてしまうことがあった。
このような受信アンテナの損傷は、受信アンテナの性能を低下させる。したがって、受信側配線装置の据付け工事には細心の注意が必要となり、このことが据付け工事を煩雑なものとし、作業を遅延させる原因となっていた。
【０００６】
また、ＦＭ波等の電波信号は赤外線信号に比べて放射角度が広いものの、該電波信号を受信する受信アンテナの指向特性が狭い場合には、やはりリモコンスイッチを受信アンテナの指向性領域に配置して操作する必要が生じる。
そこで、操作性の面で満足できる広い指向性を有する受信アンテナを備えた受信側配線装置の開発が望まれていた。
【０００７】
この発明は上述したような事情に鑑みてなされたもので、受信アンテナを傷付けることなく容易に据付け工事を行なえる受信側配線装置の提供を目的とする。
さらにこの発明は、電波信号の受信に関し広い指向性を備え、室内の各所からリモコンスイッチを操作することができる受信側配線装置の提供を目的とする。
【０００８】
【課題を解決するための手段】
上記目的を達成するためにこの発明の受信側配線装置は、ケース本体と、このケース本体の裏面に装着される収納カバーと、収納カバーの内部に設けられ、電源及び複数の負荷が接続される接続端子群と、ケース本体の前面に装着され、リモコンスイッチから送られてきた制御用電波を受信する受信アンテナと、ケース本体の裏面に設けられ、受信アンテナで受信した制御用電波に基づき接続端子群に接続された電源と複数の負荷との間の導通状態を制御する受信制御回路と、収納カバー内に収納され、受信制御部に電力を供給する電源回路と、ケース本体に設けられ、締結具を用いて該ケース本体を室内の壁面に固定するための取付孔と、ケース本体の前面に装着された受信アンテナの表面を被覆するアンテナカバーと、ケース本体の前面に装着され、少なくとも取付孔及びアンテナカバーの表面を被覆する化粧プレートとを備えている。
【０００９】
上述した構成の受信側配線装置は、ケース本体に設けられた取付孔にねじ等の締結具を差し込み、室内の天井等に据え付けられる。このとき、受信側配線装置はあらかじめケース本体の前面に受信アンテナが装着されており、かつ、この受信アンテナの表面をアンテナカバーによって被覆がなされている。
これにより、受信アンテナはアンテナカバーによって保護されるため、据付け工事の際、工具によって受信アンテナを傷付けるおそれがない。したがって、作業者は受信アンテナを気にすることなく、迅速に据付け工事を進めることができる。
【００１０】
また、この発明の受信側配線装置は、その構成要素である受信アンテナを、次のように構成したことを特徴としている。
すなわち、上記受信アンテナは、線状又は帯状の導体を両端が所定の間隔をもって対向するループ状に形成してなり、一端を給電点とした第１アンテナ素子と、線状又は帯状の導体を両端が所定の間隔をもって対向するループ状に形成してなり、第１アンテナ素子と同一平面内で、かつ該第１アンテナ素子の内側に同軸状に配置するとともに、両端を第１アンテナ素子の両端と略並べて配置した第２アンテナ素子と、線状又は帯状の導体からなり、各アンテナ素子の各他端を電気的に接続する接続導体部とを備えている。
【００１１】
ここで、各アンテナ素子の中心点間の間隔（Ｄ）は、各アンテナ素子及び接続導体部の導体長さの総和（Ｌ）に対して、Ｄ＜０．０１Ｌの関係となるように形成することが好ましい。
【００１２】
また、上記受信アンテナは、第１又は第２アンテナ素子の中間部に、リアクタンス素子を直列に挿入してもよい。
一方、上記受信アンテナは、第１又は第２アンテナ素子の他端近傍に微小ギャップを形成することもできる。この微小ギャップは、各アンテナ素子及び接続導体部の導体長さの総和（Ｌ）に対し、前記給電点よりＬ／４の位置の近傍に形成してもよい。
また、上記受信アンテナは、第１アンテナ素子の幅を、第２アンテナ素子の幅よりも大きくすることが好ましい。
【００１３】
さらに、この発明の受信側配線装置は、上記受信制御回路に、接続端子群に接続された負荷と電源との間の導通状態を発光表示する状態表示素子を設けるとともに、ケース本体の前面に、該状態表示素子を外部から視認可能とする表示確認窓を設けることもできる。
【００１４】
さらにまた、この発明の受信側配線装置は、上記受信制御回路に、リモコンスイッチから送られてくる複数種類の制御電波に対し、接続端子群に接続された負荷と電源との間の導通状態についての制御内容を任意に設定するための設定スイッチを設けるとともに、ケース本体の前面に、該設定スイッチを外部から操作可能とする設定操作窓を形成し、かつ、この設定操作窓に開閉自在な防塵扉を装着してもよい。
この場合、防塵扉の全開状態又は全閉状態を保持する開閉規制手段を設けることが好ましい。
【００１５】
【発明の実施の形態】
以下、この発明の実施の形態について図面を参照して詳細に説明する。
図１，図２はこの発明の実施形態に係る受信側配線装置の全体構造を示す分解斜視図、図３は同装置の正面断面図である。
【００１６】
これらの図面に示すように、この実施形態に係る受信側配線装置は、円盤状のケース本体１００、受信アンテナ基板２００、アンテナカバー３００、化粧プレート４００、及び収納カバー５００を備えている。受信アンテナ基板２００はケース本体１００の前面に装着され、この受信アンテナ基板２００の表面をアンテナカバー３００によって被覆するようになっている。化粧プレート４００は、ケース本体１００の前面に装着されケース本体１００の前面中央部を除く領域を被覆する。また、収納カバー５００は、ケース本体１００の裏面側に装着される。
【００１７】
図４乃至図６はケース本体の構成を示す図、図７は受信アンテナ基板の平面図、図８はアンテナカバーの底面図、図９は化粧プレートの平面図である。
受信アンテナ基板２００は、図１及び図７に示すようにガラスエポキシ樹脂からなる環状の基板本体２０１に、エッチング等によって受信アンテナ２１０を形成した構造となっている。基板本体２０１の一部には、径方向内側に延出して引出部２０２が形成してあり、この引出部２０２に受信アンテナ２１０の給電点から引出されてきた引出導体２０３が形成してある。
【００１８】
ケース本体１００には、図１，図３，図４乃至図６に示すように、前面の外周縁近傍にアンテナ収納部１０１が環状の溝で形成してあり、このアンテナ収納部１０１に受信アンテナ基板２００を配置することができる。また、アンテナ収納部１０１の内壁の一部には、裏面側と連通する基板差込孔１０２が形成してあり、受信アンテナ基板２００の引出部２０２をこの基板差込孔１０２に差し込むことにより、引出導体２０３の先端をケース本体１００の裏面側に配置できるようになっている。
【００１９】
アンテナカバー３００は、図８に示すように、受信アンテナ基板２００に対応した環状に形成してあり、一部に径方向内側に延びる延出部３０１が設けてある。このアンテナカバー３００の外周縁には、任意の二箇所に係止爪３０２が形成してある。そして、ケース本体１００には、係止爪３０２と対応する二箇所に係合溝部１０３が形成してあり、これらの係合溝部１０３に係止爪３０２を係合することにより、アンテナ収納部１０１の前面にアンテナカバー３００が取り付けられる。このようにして取り付けたアンテナカバー３００は、アンテナ収納部１０１に配置した受信アンテナ基板２００の表面を被覆する。なお、延出部３０１は基板差込孔１０２に差し込まれ、受信アンテナ基板２００の引出部２０２及び引出導体２０３を被覆する。
【００２０】
また、アンテナカバー３００の外周縁には、係止爪３０２とは異なった任意の二箇所に位置決め凹部３０３が形成してあり、一方、ケース本体１００には、この位置決め凹部３０３と係合する位置決め凸部１０４が形成してある。そして、アンテナカバー３００を取り付ける際、これらの位置決め凹部３０３をケース本体１００の位置決め凸部１０４に係合させることにより、アンテナカバー３００のがたつき及び位置ずれを防止することができる。
このアンテナカバー３００によって受信アンテナ２１０を保護することができ、室内の天井や壁面等に据付ける際、工具等によって受信アンテナ２１０を損傷するおそれがなくなる。
【００２１】
ケース本体１００におけるアンテナ収納部１０１の内側には、取付孔１０５が形成してあり、この取付孔１０５にねじ等の締結具を差し込んで、室内の天井や壁面等にケース本体１００を固定することができる。
【００２２】
化粧プレート４００は中央部が開口した扁平のドーム形状をしており、図９に示すように内周面の二箇所に係止爪４０１が形成してある。これらの係止爪４０１に対応して、ケース本体１００の外周縁部には係合突起１０６が形成してあり、該係合突起１０６に係止爪４０１を係止することで化粧プレート４００をケース本体１００の前面に装着できるようになっている。
この化粧プレート４００によって、ケース本体１００の前面に装着したアンテナカバー３００及び取付孔１０５の形成領域を被覆することができる。
【００２３】
一方、ケース本体１００の裏面側中央部には受信制御部１０７が形成してあり（図６参照）、この受信制御部１０７内に図２に示すような受信制御回路基板６００が装着される。この受信制御回路基板６００は、受信アンテナ２１０によって受信した制御用電波に基づいて、後述する複数の接続端子７００に接続された負荷及び電源の導通状態を制御する受信制御回路を構成している。
【００２４】
この受信制御回路基板６００は、リモコンスイッチを使用した室内配線の遠隔制御システムに従来から用いられている公知の受信制御回路基板を利用することができるが、この実施形態では、該公知の回路基板に加え、後述する複数の接続端子７００に接続された負荷と電源との間の導通状態を発光表示する状態表示素子６０１と、リモコンスイッチから送られてくる複数種類の制御電波に対し、それら複数の接続端子７００に接続された負荷と電源との間の導通状態について、その制御内容を任意に設定するための設定スイッチ６０２とを設けてある。
【００２５】
一般に、この種の受信制御回路基板６００は、整合回路と受信回路を備えており、受信アンテナ２１０の給電点を前述した引出導体２０３を介して整合回路に接続してある。そして、受信アンテナ２１０で受信した制御用電波を整合回路に入力して整合した後、受信回路へ送出して、所定の制御動作を処理する構成となっている。
【００２６】
状態表示素子６０１は、ＬＥＤ（発光ダイオード）からなり、ＯＮ状態の負荷側接続端子に対応する状態表示素子６０１が発光するように構成してある。
ケース本体１００の前面中央部には、この状態表示素子６０１と対向する位置に表示確認窓１０８が穿設してあり、この表示確認窓１０８を通して、状態表示素子６０１の発光状態を外部から視認できるようになっている。
【００２７】
また、設定スイッチ６０２は複数の切替スイッチからなり、リモコンスイッチから送られてくる複数種類の制御電波と、制御される負荷側接続端子との対応関係を、切替スイッチの切替えによって任意に設定できるように構成してある。
そして、ケース本体１００の前面中央部には、設定スイッチ６０２と対向する位置に設定操作窓１０９が穿設してあり、この設定操作窓１０９を通して外部から設定スイッチ６０２を操作できるようになっている。
【００２８】
この設定操作窓１０９の周縁部裏面側には、図１０に示すような構造のスライド案内板１１０が取り付けてあり、さらにこのスライド案内板１１０とケース本体１００とで挟み込むようにして防塵扉１１１が設けてある。この防塵扉１１１は設定操作窓１０９を開閉するもので、スライド案内板１１０に沿って摺動自在となっている。
【００２９】
スライド案内板１１０には、ばね性を有する係止片１１０ａが設けてあり、設定操作窓１０９に対し防塵扉１１１が全開状態及び全閉状態のとき、防塵扉１１１の裏面に形成した係合突起（図示せず）が係止片１１０ａに係合して該状態を保持できるようになっている。すなわち、これら係止片１１０ａと図示しない係合突起により、防塵扉１１１の全開状態又は全閉状態を保持する開閉規制手段が構成されている。
この開閉規制手段により、防塵扉１１１による設定操作窓１０９の閉塞状態を保持して内部への塵埃の侵入を阻止するとともに、設定スイッチ６０２を操作する際には、設定操作窓１０９の開放状態を保持して操作の容易化を図ることができる。
【００３０】
収納カバー５００は一面が開口した函状に形成してある。この収納カバー５００の内部には、図２，図３に示すように接続端子部５０１が形成してあり、この接続端子部５０１内に複数の接続端子７００が装着される。これらの接続端子７００は、各々押えばね７０１と操作釦７０２を有しており、いわゆるねじ無し端子構造を構成している。これらの接続端子７００に、負荷及び電源から導かれてきた配線が接続される。
【００３１】
さらに、収納カバー５００には、前述した受信制御回路基板６００に電力を供給するための電源回路基板８００が収納してある（図２参照）。この電源回路基板８００についても受信制御回路基板６００と同様、リモコンスイッチを使用した室内配線の遠隔制御システムに従来から用いられている公知の電源回路基板を利用することができる。
【００３２】
上述した構成の受信側配線装置は、室内の天井や壁面等に据え付けて、図１１に示すようなリモコンスイッチ９００から送られてくる制御用電波を、受信アンテナ２１０で受信して接続端子７００に接続した負荷及び電源間の導通状態を制御する。
【００３３】
次に、上述した受信アンテナ２１０の構成について、更に詳細に説明する。
図７に示すように、この実施形態の受信アンテナ２１０は、第１アンテナ素子１，第２アンテナ素子２，及び接続導体部３を備えている。
【００３４】
第１アンテナ素子１及び第２アンテナ素子２は、それぞれ帯状の導体を、両端Ａ，Ａ′、Ｂ，Ｂ′が所定の間隔をもって対向するループ状に成形することにより構成してある。第２アンテナ素子２は、同一平面内において第１アンテナ素子１の内側に同軸状に配置してあり、かつ両端を第１アンテナ素子１の略両端と並べて配置してある。
【００３５】
ここで、第１アンテナ素子１の一端Ａが給電点となっており、この一端Ａから引出導体が引出されている。なお、第２アンテナ素子２の一端Ａ′は開放端となっている。
【００３６】
接続導体部３も、各アンテナ素子１，２と同様に帯状の導体で形成してあり、この接続導体部３によって、各アンテナ素子１，２の他端Ｂ，Ｂ′が電気的に接続してある。これにより、本実施形態の受信アンテナ２１０は、同一平面内で一体に連なった平面折り返しスパイラル構造を構成している。
【００３７】
この受信アンテナ２１０は、第１アンテナ素子１及び第２アンテナ素子２における面積の狭い側面を対向面とする平面的な構造としてある。このように面積の狭い側面を対向面とすることにより、各アンテナ素子１，２間の静電容量を小さくすることができ、それに伴い各アンテナ素子１，２の中心点間の間隔Ｄを小さくすることができる。
この結果、内側に位置する第２アンテナ素子２の内径を大きくすることができ、該第２アンテナ素子２の内側部分に電気回路を収容するための充分なスペースを確保できるようになる。
【００３８】
これに対して、もし仮に第１アンテナ素子１及び第２アンテナ素子２における面積の広い平面部を互いに対向させた場合には、各アンテナ素子１，２間の静電容量が大きくなるため、間隔Ｄをあまり小さくすることができない。
【００３９】
また、この実施形態のように平面的な構造を採ることによって、例えばガラスエポキシ樹脂製の基板本体２０１上にプリントパターン化して製作することが可能となり、均一でかつ安定した寸法精度の製品を安価な製作コストで製造することを実現できる。
【００４０】
次に、受信アンテナ２１０の作用を説明する。
スパイラルアンテナのような磁界型アンテナの指向特性は、導体に流れる電流により発生する磁界強度の向きによって決まる。
上述した構成の受信アンテナ２１０では、各アンテナ素子１，２の中心点間の間隔Ｄが十分小さいとき、第１アンテナ素子１の長さと第２アンテナ素子２の長さが概ね等しくなる。
【００４１】
しかも、折り返しスパイラル構造を採っているために、第１アンテナ素子１に流れる電流と第２アンテナ素子２に流れる電流の位相を、等価的に同位相に近づけることができる。したがって、該受信アンテナ２１０を含む面内方向に強い磁界強度を得ることができる。つまり、この実施形態に係る受信アンテナ２１０の指向特性は、図１２に示すような楕円形となる。
【００４２】
一般に、天井面に設けたアンテナに対して下方の任意箇所から電波を発射する使用形態のもとにおいては、図１２に示すように、アンテナ（ＡＮＴ）の斜め方向のゲインが高い、楕円形状の指向特性を有したアンテナの方が広い受信距離範囲を得ることができる。
さらに、室内では床，壁，天井及び調度品等の表面で電波が複雑に反射するため、屋外以上にマルチパスの影響が大きくなる。そこで、このマルチパスの影響を最小限に止める観点からも、直接入射波の受信方向に対するゲイン比率の高い、図１２に示すような指向性を有したアンテナが好ましい。
【００４３】
これに対して、図１３に示すような従来のスパイラル形のアンテナ２１１では、外側導体と内側導体が同方向に巻かれているために、両者に流れる電流の位相は概ね逆位相になり、スパイラル面に垂直方向の磁界強度が強くなる結果、その指向特性は、図１４に示すようなアンテナ（ＡＮＴ）のスパイラル面に垂直な方向に強いものとなる。
【００４４】
もっとも、受信アンテナ２１０における各アンテナ素子１，２に流れる電流分布や位相関係は、受信アンテナ２１０の全長Ｌと使用周波数波長λとの関係や、各アンテナ素子１，２の中心点間隔Ｄ、各アンテナ素子１，２の幅Ｗ等によって複雑に変化する。
【００４５】
そこで、アンテナの解析手法として信頼のあるモーメント法による解析例を用い、受信アンテナ２１０の構造及び作用をさらに詳細に説明する。
図１５は、受信アンテナ２１０（同図（ａ））と、図１３に示した従来のスパイラルアンテナ２１１（同図（ｂ））について、特定の使用波長λに対する全長Ｌの比（Ｌ／λ）を変化させたときの、指向特性，ゲイン（Ｇ），及び入力抵抗（Ｒ）の変化を比較したものである。
【００４６】
なお、受信アンテナ２１０にあっては、各アンテナ素子１，２の中心点間隔をＤ，幅をＷとし、一方、従来のスパイラルアンテナ２１１にあっては隣接する導体の中心点間隔をＤ，導体幅をＷとして、共に全長Ｌに対してＤ／Ｌ＝０．００８、Ｗ／Ｌ＝０．００３に設定した。
【００４７】
図１５より明らかなように、Ｌ／λを変化させたとき、ゲイン（Ｇ）及び入力抵抗（Ｒ）ばかりでなく、指向特性も変化するが、従来のスパイラルアンテナ２１１では、指向特性変化がスパイラル面に垂直な方向の範囲内に止まっているのに対して（同図（ｂ））、この発明の実施形態に係る受信アンテナ２１０では、Ｌ／λが比較的小さい領域、すなわち小形化にとって有利な導体長Ｌのとき、図１７に示すような楕円形状の指向特性が得られることがわかる（同図（ａ））。
【００４８】
図１６は、Ｌ／λの変化に対するアンテナのループ面又はスパイラル面より３０°傾いた方向のゲイン（Ｇ）及び入力抵抗（Ｒ）の変化を、図１５のときと同様の条件で比較したものである。
この図からＬ／λが比較的小さい領域、すなわち小形化にとって有利な導体長Ｌのときは、３０°方向のゲイン（Ｇ）も従来のスパイラルアンテナ２１１より高くなることがわかる。
【００４９】
また、上述した図１５及び図１６の結果より、ゲイン（Ｇ）及び入力抵抗（Ｒ）を勘案すると、Ｌ／λを０．７５の近傍とすることで効率の良い受信アンテナ２１０を形成できることになる。
【００５０】
また、Ｄ／ＬおよびＷ／Ｌによってきめの細かい最適設計が可能になる。Ｄ／Ｌを大きくしていくと、図１２の指向特性が得られる領域が、Ｌ／λの小さい方向へシフトし、同時にゲインも下がってしまう。
したがって、各アンテナ素子１，２の中心点間隔Ｄを全長Ｌに対して、Ｄ＜０．０１Ｌの関係となるようにすることが望ましい。
【００５１】
図１７は、本発明の実施形態に係る受信アンテナ２１０（同図（ａ））と、寸法条件は等しく給電方法のみを変えた構造のアンテナ（同図（ｂ））とを、図１６の場合と同様の条件で比較したものである。
ここで比較対象となるアンテナは、第１アンテナ素子１の一端及び第２アンテナ素子２の一端をそれぞれ給電点とした。
【００５２】
同図においてＰａ，Ｐｂで示す領域は、図１２に示したような楕円形状の指向特性を得られる領域であるが、各アンテナ素子１，２の一端を給電点としたアンテナの当該領域Ｐｂは、この実施形態に係る受信アンテナ２１０の当該領域Ｐａに比べ極端にＬ／λの小さな範囲のみに限定されてしまうため設計の自由度が制約され、しかもゲインも低くなることがわかる。
以上説明したように、この発明の実施形態に係る受信アンテナ２１０によれば、小形，薄形の構造でありながら、斜め方向に高いゲインが得られ、効率よく受信距離範囲を拡げることができる。
【００５３】
図１８は、受信アンテナの第１変形例を示す概念図である。
同図に示す受信アンテナ２２０は、図７に示した受信アンテナ２１０の中間部に、リアクタンス素子６を直列に挿入してある。
【００５４】
図７に示した受信アンテナ２１０の構造では、現実の設計にあたり上述のごとき所望の全長Ｌを得ることができない場合も考えられる。そのような場合、リアクタンス素子６を挿入し、そのリアクタンスを適宜調整することによって、各アンテナ素子１，２の電流位相差を概ね同位相にすることができ、これにより図１２に示す楕円形状の指向特性を得ることができる。
【００５５】
リアクタンス素子６の挿入位置としては、接続導体部３による折り返し点の近傍が望ましい。なお、この第２実施形態でのリアクタンス素子６は、所望の指向特性を得るための設計の自由度を拡げる目的で挿入するもので、延長コイルや短縮コンデンサのようにアンテナの共振を補助するために用いられるリアクタンス素子とは目的を異にする。
【００５６】
図１９は、受信アンテナの第２変形例を示す概念図である。
同図に示す受信アンテナ２３０は、接続導体部３による折り返し点の近傍に微小ギャップｇを設けてある。
【００５７】
図２２は、図７に示した受信アンテナ２１０（同図（ａ））と、この第２変形例の受信アンテナ２３０とを、図１６のときと同様の条件で比較した図である。
第２変形例の受信アンテナ２３０のように、微小ギャップｇを設けることによって、この微小ギャップｇ間のキャパシタンスによるリアクタンス挿入の効果を得ることができる。しかも、微小ギャップｇで切断された第２アンテナ素子２の残りの部分がパラスティックエレメントとなり、第１アンテナ素子１との相互インピーダンスによって流れる電流の位相との相乗効果によって、図２２の（ｂ）に示すごとく面内方向で高い指向特性を示すＬ／λの領域が広がる。
なお、微小ギャップｇの位置を、接続導体部３による折り返し点の近傍で適宜調整することにより、最適な設計が可能になる。
【００５８】
図２０は、受信アンテナの第３変形例を示す概念図である。
同図に示す受信アンテナ２４０は、微小ギャップｇを第１アンテナ素子１の一端Ａより周上距離Ｌｇ＝Ｌ／４の近傍位置に設けてある。
この受信アンテナ２４０の解析例を図２２の（ｃ）に示す。同図（ｃ）に示すように、受信アンテナ２４０では、面内方向で高い指向特性を示すＬ／λの領域をさらに広げることができ、かつゲイン特性も向上させることができる。
このように、受信アンテナ２３０及び受信アンテナ２４０では、リアクタンス素子６のような追加部品を使うことなく、設計の自由度を大幅に拡げることができる。
【００５９】
図２１は、受信アンテナの第４変形例を示す斜視図である。
同図に示す受信アンテナ２５０は、図７に示した受信アンテナ２１０の構成において、第１アンテナ素子１の幅Ｗａを、第２アンテナ素子２の幅Ｗｂよりも大きくしてある。このようにＷａ＞Ｗｂとすることで、伝送路インピーダンスが、接続導体部３による折り返し点を境にして、ステップ状に異なるようになる。したがって、第２アンテナ素子２の開放端Ａ′からの反射波の一部は、折り返し点で該開放端Ａ′に向かって再び反射し、第１アンテナ素子１での反射波によるロスを減少してゲインを向上させることができる。
【００６０】
図２３の（ｂ）にＷｂをＷａの約１／２にした場合についての解析例を示す。同図の（ｂ）から明らかなように、大幅にゲインが向上することがわかる。
なお、この第４変形例の受信アンテナ２５０の構造は、上述した第２乃至第４変形例の受信アンテナ２２０，２３０，２４０にも適用することができる。
また、上述した実施形態では、受信アンテナを円形の折り返しスパイラル構造としたが、形状はこれに限らず、楕円形状又は多角形状としてもよい。
【００６１】
【発明の効果】
以上説明したようにこの発明の受信側配線装置によれば、受信アンテナを傷付けることなく容易に据付け工事を行なうことができる。
また、受信アンテナを、請求項２に示す第１アンテナ素子、第２アンテナ素子、及び接続導体部を備えた構成とすることにより、電波信号の受信に関し広い指向性を備え、室内の各所からリモコンスイッチを操作することができる。
【図面の簡単な説明】
【図１】この発明の実施形態に係る受信側配線装置の構成を示す分解斜視図である。
【図２】同じく、この発明の実施形態に係る受信側配線装置の構成を示す分解斜視図である。
【図３】同装置の正面断面図である。
【図４】同装置のケース本体を示す底面図である。
【図５】同じく正面断面図である。
【図６】同じく平面図である。
【図７】同装置の受信アンテナ基板を示す底面図である。
【図８】同装置のアンテナカバーを示す底面図である。
【図９】同装置の化粧プレートを示す平面図である。
【図１０】同装置のスライド案内板及び防塵扉を示す底面図である。
【図１１】この発明の実施形態に係る受信側配線装置に制御用電波を発信するリモコンスイッチの外観構成例を示す斜視図である。
【図１２】室内遠隔操作システム等への適用に好ましいアンテナの指向特性を示す図である。
【図１３】従来のスパイラルアンテナを示す模式図である。
【図１４】図１３に示した従来のスパイラルアンテナの指向特性を示す図である。
【図１５】この発明の実施形態に係る受信アンテナの作用を説明するための図である。
【図１６】図１５と同じく、この発明の実施形態に係る受信アンテナの作用を説明するための図である。
【図１７】図１５，図１６と同じく、この発明の実施形態に係る受信アンテナの作用を説明するための図である。
【図１８】受信アンテナの第１変形例を示す模式図である。
【図１９】受信アンテナの第２変形例を示す模式図である。
【図２０】受信アンテナの第３変形例を示す模式図である。
【図２１】受信アンテナの第４変形例を示す模式図である。
【図２２】第２，第３変形例に係る受信アンテナの作用を説明するための図である。
【図２３】第４変形例に係る受信アンテナの作用を説明するための図である。
【符号の説明】
１：第１アンテナ素子      ２：第２アンテナ素子
３：接続導体部
１００：ケース本体        １０５：取付孔
１０８：表示確認窓        １０９：設定操作窓
１１０：スライド案内板    １１０ａ：係止片
１１１：防塵扉
２００：受信アンテナ基板  ２１０：受信アンテナ
３００：アンテナカバー    ４００：化粧プレート
５００：収納カバー
６００：受信制御回路基板  ６０１：状態表示素子
６０２：設定スイッチ      ７００：接続端子
８００：電源回路基板
【図１】
0003788829.tif 000002
【図２】
0003788829.tif 000003
【図３】
0003788829.tif 000004
【図４】
0003788829.tif 000005
【図５】
0003788829.tif 000006
【図６】
0003788829.tif 000007
【図１０】
0003788829.tif 000008
【図７】
0003788829.tif 000009
【図８】
0003788829.tif 000010
【図９】
0003788829.tif 000011
【図１１】
0003788829.tif 000012
【図１２】
0003788829.tif 000013
【図１３】
0003788829.tif 000014
【図１４】
0003788829.tif 000015
【図１５】
0003788829.tif 000016
【図１６】
0003788829.tif 000017
【図１７】
0003788829.tif 000018
【図１８】
0003788829.tif 000019
【図１９】
0003788829.tif 000020
【図２０】
0003788829.tif 000021
【図２１】
0003788829.tif 000022
【図２２】
0003788829.tif 000023
【図２３】
0003788829.tif 000024